(57)【要約】      （修正有）【課題】ゴルフボールの識別の視認性を向上させることができ、美観性が良好で使用者の嗜好性にも配慮したゴルフボールセットを提供する。【解決手段】複数のゴルフボール１ａ〜１ｊを一組としてボールケース１０に収容されたゴルフボールセットであって、各ゴルフボール１ａ〜１ｊには使用者を識別するための識別マーク表示部２ａ〜２ｊが設けられると共に、該識別マーク表示部２ａ〜２ｊには同一種の図柄、例えば花柄が描かれ、かつ、この図柄は各ゴルフボール１ａ〜１ｊ毎に異なる色彩、例えば赤、茶、青等が付されている。【選択図】図１
0003115542.tif 000002
【実用新案登録請求の範囲】
【請求項１】
複数のゴルフボールを一組とするゴルフボールセットであって、
各ゴルフボールには使用者を識別するための識別マーク表示部が設けられると共に、
前記各ゴルフボールにおける前記識別マーク表示部には同一種の図柄が描かれ、
かつ、前記図柄は各ゴルフボール毎に異なる色彩が付されていることを特徴とするゴルフボールセット。
【請求項２】
所定個数のゴルフボールをゴルフボール群とし、複数のゴルフボール群を一組とするゴルフボールセットであって、
各ゴルフボール群を構成する各々ゴルフボールには使用者を識別するための識別マーク表示部が設けられると共に、
前記各ゴルフボールにおける前記識別マーク表示部には同一種の図柄が描かれ、
かつ、前記図柄は各ゴルフボール群毎に異なる色彩が付されていることを特徴とするゴルフボールセット。
【請求項３】
前記図柄は、動物、植物、鉱物、ハート柄、星形を含むことを特徴とする請求項１又は請求項２記載のゴルフボールセット。
【請求項４】
製造元又は販売元を識別する識別情報を付した識別情報付与部が、前記識別マーク表示部以外の部位に設けられていることを特徴とする請求項１乃至請求項３のいずれかに記載のゴルフボールセット。
【考案の詳細な説明】
【技術分野】
【０００１】
本発明はゴルフボールセットに関し、より詳しくは複数のゴルフボールを一組とし、或いは所定個数のゴルフボールをゴルフボール群とし、複数のゴルフボール群を一組とするゴルフボールセットに関する。
【背景技術】
【０００２】
一般に、ゴルフボール１０１の表面には、図７に示すように、識別番号表示部１０２が設けられており、該識別番号表示部１０２に付された識別番号により。プレーヤーは自分の打ったボールか否かを確認している。
【０００３】
そして、識別番号の付与方式としては、使用者からの注文に応じて２桁以上の数字からなる識別情報を付与するもの（特許文献１）や、ボール表面にプレイナンバー（識別番号）及び他の文字又は文字と図形からなる表示部を有するゴルフボールにおいて、上記プレイナンバーが上記表示部に囲まれるようにしたもの（特許文献２）が提案されている。
【０００４】
また、識別番号の認識を容易化を図ったものとしては、識別番号の横幅が該識別番号を除いたメインのロゴの横幅の３０％以上７５％以下となるようにしたもの（特許文献３）が提案されている。
【０００５】
【特許文献１】特開２００２−５２０９７号公報
【特許文献２】登録実用新案第３０４８１９０号公報
【特許文献３】特開２００３−７６７号公報
【考案の開示】
【考案が解決しようとする課題】
【０００６】
しかしながら、上記従来のゴルフボールでは、使用者は自分の打ったボールを識別番号で識別しなければならず視認性に欠け、また、無味乾燥な数字、数字列又は文字や文字列であるため美観性にも劣るという問題点があった。
【０００７】
本考案はこのような事情に鑑みなされたものであって、ゴルフボールの識別の視認性を向上させることができ、美観性が良好で使用者の嗜好性にも配慮したゴルフボールセットを提供することを目的とする。
【課題を解決するための手段】
【０００８】
上記目的を達成するために本考案に係るゴルフボールセットは、複数のゴルフボールを一組とするゴルフボールセットであって、各ゴルフボールには使用者を識別するための識別マーク表示部が設けられると共に、前記各ゴルフボールにおける前記識別マーク表示部には同一種の図柄が描かれ、かつ、前記図柄は各ゴルフボール毎に異なる色彩が付されていることを特徴としている。
【０００９】
また、本考案に係るゴルフボールセットは、所定個数のゴルフボールをゴルフボール群とし、複数のゴルフボール群を一組とするゴルフボールセットであって、各ゴルフボール群を構成する各々ゴルフボールには使用者を識別するための識別マーク表示部が設けられると共に、前記各ゴルフボールにおける前記識別マーク表示部には同一種の図柄が描かれ、かつ、前記図柄は各ゴルフボール群毎に異なる色彩が付されていることを特徴としている。
【００１０】
さらに、本考案のゴルフボールセットは、前記図柄が、動物、植物、鉱物、ハート柄、星形を含むことを特徴としている。
【００１１】
また、本考案のゴルフボールセットは、製造元又は販売元を識別する識別情報を付した識別情報付与部が、前記識別マーク表示部以外の部位に設けられていることを特徴としている。
【考案の効果】
【００１２】
上記ゴルフボールセットによれば、各ゴルフボールには使用者を識別するための識別マーク表示部が設けられると共に、前記各ゴルフボールにおける前記識別マーク表示部には同一種の図柄が描かれ、かつ、前記図柄は各ゴルフボール（ゴルフボール群）毎に異なる色彩が付されているので、ボールから比較的離れた位置に居ても、使用者は自己のボールか否かを容易に識別することが可能となり、しかも美観性が良好で嗜好性にも配慮したゴルフボールセットを得ることができる。
【考案を実施するための最良の形態】
【００１３】
次に、本考案の実施の形態を図面に基づいて詳説する。
【００１４】
図１は本考案に係るゴルフボールセットであって、複数のゴルフボール（本実施の形態では１０個のゴルフボール１ａ〜１ｊ）を一組としてボールケース１０に収容されている。
【００１５】
ゴルフボール１（１ａ〜１ｊ）の外表面には多数のディンプル（不図示）が所定配列を有して形成されると共に、図２に示すように、使用者を識別するための識別マーク表示部２が設けられている。さらに、この識別マーク表示部２の内部には、例えば、図３に示すように、花柄３（図柄）が描かれている。すなわち、ボールケース１０に収容されているゴルフボール１ａ〜１ｊの全ての識別マーク表示部２ａ〜２ｊには、例えば、図３に示すように、同一種の花柄３が描かれ、かつ、同一種の花柄３のそれぞれに異なる色彩（本実施の形態では、赤色、茶色、青色、紫色、黒色、桃色、緑色、橙色、水色、肌色の１０色）が付されている。
【００１６】
このように本実施の形態では、各ゴルフボール１ａ〜１ｊには使用者を識別するための識別マーク表示部２ａ〜２ｊが設けられると共に、これら識別マーク表示部２ａ〜２ｊには同一種の図柄、例えば花柄３が描かれ、かつ、前記花柄３には各ゴルフボール１ａ〜１ｊ毎に異なる色彩（例えば、赤、茶、青……）が付されているので、ボールから比較的離れた位置に居ても、使用者は自己のボールか否かを容易に識別することができ、したがって従来の識別番号付与方式に比べてゴルフボール１の識別性が向上し、しかも美観性も良好なものとすることが可能となる。
【００１７】
尚、本考案は上記実施の形態に限定されるものではない。図柄についても同一種であれば特に限定されることはなく、例えば図４に示すようなハート柄、図５に示すような星形、その他任意の動物、植物、鉱物等、使用者の要求に応じて描くのも好ましく、これにより使用者にも配慮したゴルフボールセットを提供することができる。また、図６に示すように、製造元又は販売元を識別する識別情報を付した識別情報付与部６を前記識別マーク表示部２以外の部位、例えば識別マーク表示部２の近傍に設けるようにしてもよい。また、ゴルフボール１ａ〜１ｊ毎に識別可能に異なる色彩が付されていれば、色彩の種類も限定されることがないのはいうまでもなく、上記実施の形態に拘泥されることなく、種々の色彩を使用することができるのはいうまでもない。
【００１８】
さらに、所定個数（例えば、５個）のゴルフボールをゴルフボール群として複数のゴルフボール群を一組とし、各ゴルフボール群を構成する各々ゴルフボールに、上記実施の形態と同様、使用者を識別するための識別マーク表示部を設けると共に、該識別マーク表示部に同一種の図柄（例えば、花柄）を描き、かつ、各ゴルフボール群毎に前記図柄に異なる色彩を付すようにするのも好ましい。
【図面の簡単な説明】
【００１９】
【図１】本発明に係るゴルフボールセットの一実施の形態を示す平面図である。
【図２】上記ゴルフボールセットを構成するゴルフボールの平面図である。
【図３】識別マーク表示部に花柄が描かれたゴルフボールの平面図である。
【図４】識別マーク表示部にハート柄が描かれたゴルフボールの平面図である。
【図５】識別マーク表示部に星型が描かれたゴルフボールの平面図である。
【図６】識別マーク表示部の近傍に識別情報付与部が設けられたゴルフボールの平面図である。
【図７】識別番号表示部が設けられた従来のゴルフボールの平面図である。
【符号の説明】
【００２０】
１  ゴルフボール
２  識別マーク表示部
３  花柄（図柄）
４  ハート柄（図柄）
５  星形（図柄）
６  識別情報付与部
【図１】
0003115542.tif 000003
【図２】
0003115542.tif 000004
【図３】
0003115542.tif 000005
【図４】
0003115542.tif 000006
【図５】
0003115542.tif 000007
【図６】
0003115542.tif 000008
【図７】
0003115542.tif 000009